【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
エンコードされているデータをデジタルインタフェースを介して伝送する第１の装置と、
前記デジタルインタフェースを介して伝送されてくるデータを受信し、所定のデータ形式に対応してデコードする第２の装置と
を備えるデータデコードシステムにおいて、
前記第１の装置または前記第２の装置は、第１の形式のデータを第２の形式のデータに変換する変換手段を備え、
前記第２の装置は、前記第２の形式のデータをデコードする
ことを特徴とするデータデコードシステム。
【請求項２】
前記第１の形式は、ＭＰＥＧ方式のプログラムストリームであり、
前記第２の形式は、ＭＰＥＧ方式のトランスポートストリームである
ことを特徴とする請求項１に記載のデータデコードシステム。
【請求項３】
前記変換手段は、前記第１の形式のデータを一時的に記憶するバッファを備える
ことを特徴とする請求項１に記載のデータデコードシステム。
【請求項４】
前記変換手段は、前記第１の形式のデータをオーディオデータとオーディオ以外のデータに分離する分離手段
をさらに備え、
前記バッファは、前記オーディオデータを一時的に記憶するバッファと、前記オーディオ以外のデータを一時的に記憶するバッファより構成される
ことを特徴とする請求項３に記載のデータデコードシステム。
【請求項５】
前記変換手段は、前記オーディオデータを一時的に記憶するバッファを、前記オーディオデータのストリームの本数分だけ備える
ことを特徴とする請求項４に記載のデータデコードシステム。
【請求項６】
前記オーディオデータを一時的に記憶するバッファの容量は、それぞれ４キロバイトである
ことを特徴とする請求項５に記載のデータデコードシステム。
【請求項７】
前記変換手段は、前記オーディオデータおよび前記オーディオデータ以外のデータを多重化し、ＭＰＥＧ方式のトランスポートストリームを生成する多重化手段
をさらに備えることを特徴とする請求項２に記載のデータデコードシステム。
【請求項８】
エンコードされているデータをデジタルインタフェースを介して伝送する第１の装置と、
前記デジタルインタフェースを介して伝送されてくるデータを受信し、デコードする第２の装置と
を備えるデータデコードシステムにおけるデータデコード方法において、
前記第１の装置が、第１の形式のデータを第２の形式のデータに変換した後、前記第２の形式のデータを伝送するか、あるいは、前記第２の装置が、前記第１の形式のデータを受信し、前記第１のデータを前記第２のデータに変換するようになし、
前記第２の装置が、前記第２の形式のデータをデコードする
ことを特徴とするデータデコード方法。
【請求項９】
所定の記録媒体に記憶されているデータを再生し、ＩＥＥＥ１３９４インタフェースを介して伝送する第１の装置と、
前記ＩＥＥＥ１３９４インタフェースを介して伝送されてくるデータを受信し、デジタルアナログ変換してアナログ信号を出力する複数の第２の装置と
を備えることを特徴とするデータデコードシステム。
【請求項１０】
エンコードされているデータを、デジタルインタフェースを介して、所定のデータ形式に対応してデコードを行うデコーダに伝送する伝送装置において、
第１の形式のデータを、前記デコーダにおける前記データ形式である第２の形式のデータに変換する変換手段と、
前記第２の形式のデータを伝送する伝送手段と
を備えることを特徴とする伝送装置。
【請求項１１】
前記第１の形式のデータは、デジタルバーサタイルディスクから再生されたデータである
ことを特徴とする請求項１０に記載の伝送装置。
【請求項１２】
エンコードされているデータを、デジタルインタフェースを介して、所定のデータ形式に対応してデコードを行うデコーダに伝送する伝送方法において、
第１の形式のデータを、前記デコーダにおける前記データ形式である第２の形式のデータに変換するステップと、
前記第２の形式のデータを伝送するステップと
を備えることを特徴とする伝送方法。
【請求項１３】
デジタルインタフェースを介して伝送されてくるエンコードされたデータを受信し、所定のデータ形式に対応してデコードを行うデータデコードシステムの受信装置において、
第１の形式のデータを受信する受信手段と、
前記第１の形式のデータを、前記デコーダにおける前記データ形式である第２の形式のデータに変換する変換手段と、
前記第２の形式のデータをデコードするデコード手段と
を備えることを特徴とする受信装置。
【請求項１４】
デジタルインタフェースを介して伝送されてくるエンコードされたデータを受信し、所定のデータ形式に対応してデコードを行うデータデコードシステムにおける受信方法において、
第１の形式のデータを受信するステップと、
前記第１の形式のデータを、前記デコーダにおける前記データ形式である第２の形式のデータに変換するステップと、
前記第２の形式のデータをデコードするステップと
を備えることを特徴とする受信方法。
【請求項１５】
デジタルインタフェースを介して伝送されてくるエンコードされたデータを受信し、所定のデータ形式に対応してデコードを行うデータデコードシステムの受信装置において、
第１の形式のデータをデコードする第１のデコード手段と、
第２の形式のデータをデコードする第２のデコード手段と、
前記第１の形式または第２の形式のデータを受け取り、そのデータの形式に応じて、前記データを前記第１のデコード手段または前記第２のデコード手段に供給する供給手段と
を備えることを特徴とする受信装置。
【請求項１６】
デジタルインタフェースを介して伝送されてくるエンコードされたデータを受信し、所定のデータ形式に対応してデコードを行うデータデコードシステムの受信方法において、
第１の形式または第２の形式のデータを受け取り、そのデータの形式に応じて、前記データを第１のデコード部または第２のデコード部に供給するステップと、
前記第１のデコード部において第１の形式のデータをデコードするステップと、
前記第２のデコード部において第２の形式のデータをデコードするステップと
を備えることを特徴とする受信方法。
【手続補正２】
【補正対象書類名】明細書
【補正対象項目名】００３３
【補正方法】変更
【補正の内容】
【００３３】
請求項１２に記載の伝送方法は、第１の形式のデータを、デコーダにおけるデータ形式である第２の形式のデータに変換するステップと、第２の形式のデータを伝送するステップとを備えることを特徴とする。
【手続補正３】
【補正対象書類名】明細書
【補正対象項目名】００３４
【補正方法】変更
【補正の内容】
【００３４】
請求項１３に記載の受信装置は、第１の形式のデータを受信する受信手段と、第１の形式のデータを、デコーダにおけるデータ形式である第２の形式のデータに変換する変換手段と、第２の形式のデータをデコードするデコード手段とを備えることを特徴とする。
【手続補正４】
【補正対象書類名】明細書
【補正対象項目名】００３５
【補正方法】変更
【補正の内容】
【００３５】
請求項１４に記載の受信方法は、第１の形式のデータを受信するステップと、第１の形式のデータを、デコーダにおけるデータ形式である第２の形式のデータに変換するステップと、第２の形式のデータをデコードするステップとを備えることを特徴とする。
【手続補正５】
【補正対象書類名】明細書
【補正対象項目名】００３６
【補正方法】変更
【補正の内容】
【００３６】
請求項１５に記載の受信装置は、第１の形式のデータをデコードする第１のデコード手段と、第２の形式のデータをデコードする第２のデコード手段と、第１の形式または第２の形式のデータを受け取り、そのデータの形式に応じて、データを第１のデコード手段または第２のデコード手段に供給する供給手段とを備えることを特徴とする。
【手続補正６】
【補正対象書類名】明細書
【補正対象項目名】００３７
【補正方法】変更
【補正の内容】
【００３７】
請求項１６に記載の受信方法は、第１の形式または第２の形式のデータを受け取り、そのデータの形式に応じて、データを第１のデコード部または第２のデコード部に供給するステップと、第１のデコード部において第１の形式のデータをデコードするステップと、第２のデコード部において第２の形式のデータをデコードするステップとを備えることを特徴とする。
【手続補正７】
【補正対象書類名】明細書
【補正対象項目名】００４２
【補正方法】変更
【補正の内容】
【００４２】
請求項１２に記載の伝送方法においては、第１の形式のデータを、デコーダにおけるデータ形式である第２の形式のデータに変換し、第２の形式のデータを伝送する。
【手続補正８】
【補正対象書類名】明細書
【補正対象項目名】００４３
【補正方法】変更
【補正の内容】
【００４３】
請求項１３に記載の受信装置においては、受信手段は、第１の形式のデータを受信し、変換手段は、第１の形式のデータを、デコーダにおけるデータ形式である第２の形式のデータに変換し、デコード手段は、第２の形式のデータをデコードする。
【手続補正９】
【補正対象書類名】明細書
【補正対象項目名】００４４
【補正方法】変更
【補正の内容】
【００４４】
請求項１４に記載の受信方法においては、第１の形式のデータを受信し、第１の形式のデータを、デコーダにおけるデータ形式である第２の形式のデータに変換し、第２の形式のデータをデコードする。
【手続補正１０】
【補正対象書類名】明細書
【補正対象項目名】００４５
【補正方法】変更
【補正の内容】
【００４５】
請求項１５に記載の受信装置においては、供給手段は、第１の形式または第２の形式のデータを受け取り、そのデータの形式に応じて、データを第１のデコード手段または第２のデコード手段に供給し、第１のデコード手段は、第１の形式のデータをデコードし、第２のデコード手段は、第２の形式のデータをデコードする。
【手続補正１１】
【補正対象書類名】明細書
【補正対象項目名】００４６
【補正方法】変更
【補正の内容】
【００４６】
請求項１６に記載の受信方法においては、第１の形式または第２の形式のデータを受け取り、そのデータの形式に応じて、データを第１のデコード部または第２のデコード部に供給し、第１のデコード部において第１の形式のデータをデコードするか、あるいは、第２のデコード部において第２の形式のデータをデコードする。
【手続補正１２】
【補正対象書類名】明細書
【補正対象項目名】０１９５
【補正方法】変更
【補正の内容】
【０１９５】
請求項１０に記載の伝送装置および請求項１２に記載の伝送方法によれば、第１の形式のデータを、デコーダにおけるデータ形式である第２の形式のデータに変換し、第２の形式のデータを伝送するので、トランスポートストリームに対応したデコーダを有している装置を利用して、ＤＶＤに記録されているデータの再生を行うことができる。
【手続補正１３】
【補正対象書類名】明細書
【補正対象項目名】０１９６
【補正方法】変更
【補正の内容】
【０１９６】
請求項１３に記載の受信装置および請求項１４に記載の受信方法によれば、第１の形式のデータを受信し、第１の形式のデータを、デコーダにおけるデータ形式である第２の形式のデータに変換し、第２の形式のデータをデコードするので、ＤＶＤに記録されているデータの再生を行うことができる。
【手続補正１４】
【補正対象書類名】明細書
【補正対象項目名】０１９７
【補正方法】変更
【補正の内容】
【０１９７】
請求項１５に記載の受信装置および請求項１６に記載の受信方法によれば、第１の形式または第２の形式のデータを受け取り、そのデータの形式に応じて、データを第１のデコード部または第２のデコード部に供給し、第１のデコード部において第１の形式のデータをデコードするか、あるいは、第２のデコード部において第２の形式のデータをデコードするので、ＤＶＤに記録されているデータの再生を行うことができる。